(57)【特許請求の範囲】
【請求項１】
便器のリム部に設けた第１洗浄水吐出口と、便器のボウル部の底部に設けた第２洗浄水吐出口とに独立に洗浄水を供給するサイホンジェット式便器の洗浄水供給装置であって、一端に入口ポートが形成され側壁に複数の出口ポートが形成されたシリンダと、一端が開放され他端が閉鎖され側壁に少なくとも１つの開口が形成され開放端を入口ポートへ差し向けてシリンダ内に摺動可能に且つ回転不能に収容されたシリンダ状ピストンと、シリンダ状ピストンを入口ポートの方向へ付勢するバネとを有し、入口ポートを介してシリンダ内へ流入した洗浄水がシリンダ状ピストンに及ぼす付勢力によってシリンダ状ピストンを入口ポートから遠ざかる方向へ駆動し、シリンダ状ピストンの側壁に形成された開口を複数の出口ポートに順次対峙させて複数の出口ポートを順次開閉する水圧シリンダバルブを備え、シリンダ状ピストンの側壁外周面とシリンダの側壁内周面との間には、シリンダ状ピストンの閉鎖端近傍部を除いて隙間が形成されていることを特徴とする洗浄水供給装置。
【請求項２】
便器のリム部に設けた第１洗浄水吐出口と、便器のボウル部の底部に設けた第２洗浄水吐出口とに独立に洗浄水を供給するサイホンジェット式便器の洗浄水供給装置であって、一端に入口ポートが形成され側壁に複数の出口ポートが形成されたシリンダと、一端が開放され他端が閉鎖され側壁に少なくとも１つの開口が形成され開放端を入口ポートへ差し向けてシリンダ内に遊動可能に且つ回転不能に収容されたシリンダ状ピストンとを有し、入口ポートを介してシリンダ内へ流入した洗浄水がシリンダ状ピストンに及ぼす付勢力によってシリンダ状ピストンを入口ポートから遠ざかる方向へ駆動し、シリンダ状ピストンの側壁に形成された開口を複数の出口ポートに順次対峙させて複数の出口ポートを順次開閉する水圧シリンダバルブを備え、水圧シリンダバルブは入口ポートを下方へ差し向けて直立して配設されることを特徴とする洗浄水供給装置。
【請求項３】
水圧シリンダバルブのシリンダ状ピストンの移動速度を制御するための速度制御手段を備えることを特徴とする請求項１又は２に記載のサイホンジェット式便器の洗浄水供給装置。
【請求項４】
速度制御手段はシリンダに取り付けられた速度制御弁であることを特徴とする請求項３に記載のサイホンジェット式便器の洗浄水供給装置。
【請求項５】
水圧シリンダバルブよりも上流側の洗浄水流路にフラッシュバルブが配設されていることを特徴とする請求項１乃至４の何れか１項に記載のサイホンジェット式便器の洗浄水供給装置。
【発明の詳細な説明】
【０００１】
【発明の属する技術分野】
本発明はサイホンジェット式便器の洗浄水供給装置に関するものである。
【０００２】
【従来の技術】
本願の出願人は、特開平３−１７６５２３号において、便器のリム部に設けた第１洗浄水吐出口と、便器のボウル部の底部に設けた第２洗浄水吐出口とに独立に洗浄水を供給するサイホンジェット式便器の洗浄水供給装置であって、第１洗浄水吐出口への給水を行う止水弁と第２洗浄水吐出口への給水を行う止水弁とを備え、或いは一つの止水機能を有する流路切替弁を備え、或いは一つの止水弁と一つの止水機能を持たない流路切替弁とを備える洗浄水供給装置を提案した。
上記洗浄水供給装置を使用すれば、洗浄水の吐出を、第１洗浄水吐出口、第２洗浄水吐出口、第１洗浄水吐出口の順に行わせることができ、節水を図りつつ汚物残りの少ない効果的な便器洗浄が可能となる。
【０００３】
【発明が解決しようとする課題】
特開平３−１７６５２３号に開示したサイホンジェット式便器の洗浄水供給装置には、止水弁、流路切替弁に電磁弁を使用しているので、製造コストが高いという問題があった。
本発明は上記問題に鑑みてなされたものであり、便器のリム部に設けた第１洗浄水吐出口と、便器のボウル部の底部に設けた第２洗浄水吐出口とに独立に洗浄水を供給するサイホンジェット式便器の洗浄水供給装置であって、特開平３−１７６５２３号の装置に比べて製造コストの低い装置を提供することを目的とする。
【０００４】
【課題を解決するための手段】
本発明においては、上記課題を解決するために、便器のリム部に設けた第１洗浄水吐出口と、便器のボウル部の底部に設けた第２洗浄水吐出口とに独立に洗浄水を供給するサイホンジェット式便器の洗浄水供給装置であって、一端に入口ポートが形成され側壁に複数の出口ポートが形成されたシリンダと、一端が開放され他端が閉鎖され側壁に少なくとも１つの開口が形成され開放端を入口ポートへ差し向けてシリンダ内に摺動可能に且つ回転不能に収容されたシリンダ状ピストンと、シリンダ状ピストンを入口ポートの方向へ付勢するバネとを有し、入口ポートを介してシリンダ内へ流入した洗浄水がシリンダ状ピストンに及ぼす付勢力によってシリンダ状ピストンを入口ポートから遠ざかる方向へ駆動し、シリンダ状ピストンの側壁に形成された開口を複数の出口ポートに順次対峙させて複数の出口ポートを順次開閉する水圧シリンダバルブを備え、シリンダ状ピストンの側壁外周面とシリンダの側壁内周面との間には、シリンダ状ピストンの閉鎖端近傍部を除いて隙間が形成されていることを特徴とする洗浄水供給装置を提供する。
【０００５】
本発明に係るサイホンジェット式便器の洗浄水供給装置は、高価な電磁弁に代えて洗浄水の水圧で駆動される水圧シリンダバルブを備えるので、特開平３−１７６５２３号の装置に比べて製造コストが低い。
水圧シリンダバルブへの洗浄水の供給が停止すると、洗浄水がシリンダ状ピストンに及ぼす付勢力が減少する。バネからの付勢力を受けて、シリンダ状ピストンは、入口ポート近傍の初期位置へ復帰する。シリンダ状ピストンの側壁外周面とシリンダの側壁内周面との間には、シリンダ状ピストンの閉鎖端近傍部を除いて隙間が形成されているので、シリンダ状ピストン復帰の際に、シリンダ内の洗浄水は、前記隙間と出口ポートとを介して常時シリンダから排出される。
【０００６】
本発明においては、便器のリム部に設けた第１洗浄水吐出口と、便器のボウル部の底部に設けた第２洗浄水吐出口とに独立に洗浄水を供給するサイホンジェット式便器の洗浄水供給装置であって、一端に入口ポートが形成され側壁に複数の出口ポートが形成されたシリンダと、一端が開放され他端が閉鎖され側壁に少なくとも１つの開口が形成され開放端を入口ポートへ差し向けてシリンダ内に遊動可能に且つ回転不能に収容されたシリンダ状ピストンとを有し、入口ポートを介してシリンダ内へ流入した洗浄水がシリンダ状ピストンに及ぼす付勢力によってシリンダ状ピストンを入口ポートから遠ざかる方向へ駆動し、シリンダ状ピストンの側壁に形成された開口を複数の出口ポートに順次対峙させて複数の出口ポートを順次開閉する水圧シリンダバルブを備え、水圧シリンダバルブは入口ポートを下方へ差し向けて直立して配設されることを特徴とする洗浄水供給装置を提供する。
本発明に係るサイホンジェット式便器の洗浄水供給装置は、高価な電磁弁に代えて洗浄水の水圧で駆動される水圧シリンダバルブを備えるので、特開平３−１７６５２３号の装置に比べて製造コストが低い。
水圧シリンダバルブへの洗浄水の供給が停止すると、シリンダ状ピストンは自重で下降し、入口ポート近傍の初期位置へ復帰する。シリンダ状ピストンは自重で初期位置へ復帰するので、シリンダ状ピストンの戻しバネを必要としない。この結果、洗浄水供給装置の製造コストが低減する。シリンダ状ピストンはシリンダに遊動可能に収容されているので、ピストン復帰の際に、シリンダ内の洗浄水は、ピストンの側壁外周面とシリンダの側壁内周面との間の隙間と出口ポートとを介して常時シリンダから排出される。
【０００７】
本発明の好ましい態様においては、洗浄水供給装置は、水圧シリンダバルブのシリンダ状ピストンの移動速度を制御するための速度制御手段を備えている。
水圧シリンダバルブのシリンダ状ピストンの移動速度を制御することにより、サイホンジェット式便器へ供給される洗浄水の水量を制御することができ、洗浄力を制御することができる。
速度制御手段は如何なるものでも良いが、一例としてシリンダに取り付けられた速度制御弁が挙げられる。
【０００８】
本発明の好ましい態様においては、水圧シリンダバルブよりも上流側の洗浄水流路にフラッシュバルブが配設されている。
フラッシュバルブを介して水圧シリンダバルブへ洗浄水を供給することにより、常に一定量の洗浄水をサイホンジェット式便器ヘ供給することができ、常に一定の洗浄力を維持することができる。
【０００９】
【発明の実施の形態】
本発明の第１実施例を説明する。
図１に示すように、サイホンジェット式便器１は、ボウル部２と、一端がボウル部２の底部に連通するリバースタイプのＳトラップ３と、ボウル部２の上端周縁に配設された環状のリム通水路４と、ボウル部２の後方に配設された機器収納部５とを備えている。リム通水路４の底壁には、周方向に間隔を隔てて、多数の貫通穴４ａが形成されている。ボウル部２の底部にＳトラップ３へ差し向けられた貫通穴２ａが形成されている。Ｓトラップ３の他端は図示しない排水管に接続している。
図示しない水道配管に接続された給水管６が機器収納部５内へ延びている。給水管６はフラッシュバルブ７を介して水圧シリンダバルブ８に接続している。
水圧シリンダバルブ８から延びる配管９ａが、リム通水路４に接続している。水圧シリンダバルブ８から延びる配管９ｂが、大気開放弁１０を介して、貫通穴２ａに接続している。
フラッシュバルブ７は、モータにより回転駆動されるカム機構等の操作装置１１により操作される。操作装置１１の作動を制御する制御装置１２が、機器収納部５内に配設されている。制御装置１２へ洗浄開始入力を与える操作部１３が配設されている。
【００１０】
図２に示すように、水圧シリンダバルブ８は、シリンダ８１を有している。シリンダ８１の一端に入口ポート８１ａが形成され、長手方向中央部の側壁に１対の円形出口ポート８１ｂ、８１ｃが向かい合って形成されている。シリンダ８１の他端はボルト８２によって閉鎖されている。
シリンダ８１内にシリンダ状ピストン８３が収容されている。シリンダ状ピストン８３の一端は開放され他端は閉鎖されている。シリンダ状ピストン８３は、開放端を入口ポート８１ａへ差し向けた状態でシリンダ８１内に収容されている。シリンダ状ピストン８３の側壁に２つの長円形開口８３ａ、８３ｂと、１つの略長円形開口８３ｃとが形成されている。長円形開口８３ａと略長円形開口８３ｃとは、出口ポート８１ｂに対峙する側の側壁に形成され、長円形開口８３ｂは出口ポート８１ｃに対峙する側の側壁に形成されている。シリンダ状ピストン８３を側方から見て、長円形開口８３ａと長円形開口８３ｂとは部分的に重畳しており、長円形開口８３ｂと略長円形開口８３ｃとは部分的に重畳している。
シリンダ状ピストン８３の閉鎖端近傍部の側壁外周面は、シリンダ８１の側壁内周面に摺動可能に当接している。シリンダ状ピストン８３の閉鎖端近傍部の側壁外周面とシリンダ８１の側壁内周面との当接部は、シリンダ状ピストン８３の閉鎖端近傍部に外嵌合するリング状パッキン８４によりシールされている。
シリンダ状ピストン８３の側壁外周面とシリンダ８１の側壁内周面との間には、シリンダ状ピストン８３の閉鎖端近傍部を除いて微小隙間８５が形成されている。
シリンダ８１の側壁中央部を貫通するボルト８６の先端部が、シリンダ状ピストン８３の側壁に形成されたスリット８３ｄに挿通されており、シリンダ状ピストン８３の回転が阻止されている。
シリンダ８１の閉鎖端とシリンダ状ピストン８３の閉鎖端との間に、コイルバネ８７が配設されている。
【００１１】
シリンダ８１の閉鎖端近傍の側壁に形成された小開口８１ｄに挿通されたパイプ８８ａがシリンダ８１の側方外方へ延び、タンク８８に接続している。タンク８８は空気孔８８ｂを介して大気解放されている。パイプ８８ａの途上に速度制御弁８９が配設されている。シリンダ８１の閉鎖端とシリンダ状ピストン８３の閉鎖端との間の空間と、パイプ８８ａと、タンク８８とに水Ｗ１が充填されている。
水圧シリンダバルブ８の入口ポート８１ａは給水管６に接続し、出口ポート８１ｂは配管９ａに接続し、出口ポート８１ｃは配管９ｂに接続している。
給水管６〜操作部１３により本実施例に係るサイホンジェット式水洗便器の洗浄水供給装置が構成されている。
【００１２】
本実施例に係る洗浄水供給装置の作動を説明する。
サイホンジェット式便器１の不使用時には、フラッシュバルブ７は閉じている。図２に示すように、シリンダ状ピストン８３は、コイルバネ８７からの付勢力を受けて、シリンダ８１の入口ポート８１ａ側の端部へ押しつけられた初期位置に在る。シリンダ状ピストン８３の開口８３ｃが出口ポート８１ｂに対峙しており、出口ポート８１ｂは開いている。開口８３ａ、８３ｂは何れの出口ポートにも対峙しておらず、出口ポート８１ｃは閉じている。
【００１３】
操作部１３が手動操作されると、制御装置１２から指令を受けて操作装置１１が作動し、フラッシュバルブ７が開く。
図示しない水道配管から供給された加圧洗浄水が、図２で白抜き矢印で示すように給水管６を通り、入口ポート８１ａを通って水圧シリンダバルブ８ヘ流入する。
洗浄水は、シリンダ状ピストン８３内へ流入し、開口８３ｃと出口ポート８１ｂとを通って配管９ａへ流入し、図２で白抜き矢印で示すように配管９ａを通ってリム通水路４ヘ流入し、リム通水路４の底壁に形成された多数の貫通穴４ａを通ってボウル部２へ吐出する。多数の貫通穴４ａを通ってボウル部２へ流入した洗浄水は、封水Ｗ２の水面よりも上方のボウル部２の側面を洗浄する。
シリンダ状ピストン８３内へ流入した洗浄水が、図２で白抜き矢印で示すようにシリンダ状ピストン８３の閉鎖端に当たり、シリンダ状ピストン８３に付勢力を及ぼす。シリンダ状ピストン８３はコイルバネ８７を押し縮めつつシリンダ８１の閉鎖端へ向けて移動する。シリンダ状ピストン８３の回転が阻止されているので、シリンダ状ピストン８３は、開口８３ｃと出口ポート８１ｂとの対峙を維持しつつ、移動する。
【００１４】
シリンダ状ピストン８３がシリンダ８１の閉鎖端へ向けて移動すると、図３に示すように、シリンダ状ピストン８３の開口８３ｃと出口ポート８１ｂとの対峙が解除され、シリンダ状ピストン８３の開口８３ｂが出口ポート８１ｃに対峙する。出口ポート８１ｂが閉じ、出口ポート８１ｃが開く。洗浄水は開口８３ｂと出口ポート８１ｃとを通って配管９ｂへ流入し、図３で白抜き矢印で示すように配管９ｂを通って、ボウル部２の底部に形成された貫通穴２ａからＳトラップ３へ向けて吐出する。貫通穴２ａからＳトラップ３へ向けて吐出した洗浄水は、速やかにＳトラップ３を満杯にして、サイホン作用を引き起こす。サイホン作用により、封水Ｗ２が汚物と共にＳトラップ３へ吸い込まれ、サイホンジェット式便器１から排出される。
シリンダ状ピストン８３は、開口８３ｂと出口ポート８１ｃとの対峙を維持しつつ、シリンダ８１の閉鎖端へ向けて移動する。尚、出口ポート８１ｂが閉じ、出口ポート８１ｃが開く際に、過渡的に出口ポート８１ｂと出口ポート８１ｃとが半開き状態となり、リム通水路４の貫通穴４ａとボウル部２の貫通穴２ａとから洗浄水が吐出する。
【００１５】
シリンダ状ピストン８３がシリンダ８１の閉鎖端へ向けて更に移動すると、図４に示すように、シリンダ状ピストン８３の開口８３ｂと出口ポート８１ｃとの対峙が解除され、シリンダ状ピストン８３の開口８３ａが出口ポート８１ｂに対峙する。出口ポート８１ｃが閉じ、出口ポート８１ｂが開く。洗浄水は開口８３ａと出口ポート８１ｂとを通って配管９ａへ流入し、図４で白抜き矢印で示すように配管９ａを通って、リム通水路４ヘ流入し、リム通水路４の底壁に形成された多数の貫通穴４ａを通ってボウル部２へ吐出する。多数の貫通穴４ａを通ってボウル部２へ流入した洗浄水は、封水Ｗ２と汚物とが除去されて空になったボウル部２に、封水Ｗ２を形成する。
シリンダ状ピストン８３は、開口８３ａと出口ポート８１ｂとの対峙を維持しつつ、シリンダ８１の閉鎖端へ向けて移動し、閉鎖端がボルト８２に当接する最終位置に到達して停止する。尚、出口ポート８１ｃが閉じ、出口ポート８１ｂが開く際に、過渡的に出口ポート８１ｃと出口ポート８１ｂとが半開状態となり、ボウル部２の貫通穴２ａとリム通水路４の貫通穴４ａとから洗浄水が吐出する。
【００１６】
シリンダ状ピストン８３が初期位置から最終位置へ向けて移動する際に、シリンダ状ピストン８３の閉鎖端とシリンダ８１の閉鎖端との間の空間に充填された水Ｗ１が、パイプ８８ａを通ってタンク８８へ押し出される。パイプ８８ａの流路断面積が速度制御弁８９によって制御されてパイプ８８ａを通る水Ｗ１の流量が制御され、ひいてはシリンダ状ピストン８３の移動速度が制御される。シリンダ状ピストン８３の移動速度は、フラッシュバルブ７が開くと同時に初期位置から移動を開始したシリンダ状ピストン８３が、フラッシュバルブ７が閉じると同時に最終位置に到達する値に設定されている。従って、シリンダ状ピストン８３が最終位置に到達した時点で、フラッシュバルブ７が自動的に閉じる。この結果、サイホンジェット式便器１の洗浄が終了する。
【００１７】
フラッシュバルブ７が閉じると、水圧シリンダバルブ８への洗浄水の供給が停止し、洗浄水がシリンダ状ピストン８３に及ぼす付勢力が減少する。コイルバネ８７の付勢力を受けて、シリンダ状ピストン８３は、入口ポート８１ａへ向けて移動し、図２に示す初期位置へ復帰する。シリンダ状ピストン８３を側方から見て、開口８３ａと開口８３ｂとは部分的に重畳しており、開口８３ｂと開口８３ｃとは部分的に重畳しているので、常時開口８３ａ、８３ｂ、８３ｃの何れかが出口ポート８１ｂ又は８１ｃに対峙している。従って、シリンダ状ピストン８３が初期位置へ復帰する際に、シリンダ８１内の洗浄水は常時出口ポート８１ｂ又は８１ｃ介してシリンダ８１から排出され、シリンダ状ピストン８３は支障なく初期位置へ復帰する。
シリンダ状ピストン８３の側壁外周面とシリンダ８１の側壁内周面との間には、シリンダ状ピストン８３の閉鎖端近傍部を除いて微小隙間８５が形成されているので、シリンダ状ピストン８３が初期位置へ復帰する際に、シリンダ８１内の洗浄水は、微小隙間８５と出口ポート８１ｂ、８１ｃとを介して常時シリンダ８１から排出される。従って、シリンダ状ピストン８３は支障なく初期位置へ復帰する。シリンダ状ピストン８３が初期位置から最終位置へ向けて移動する際にも、微小隙間８５と出口ポート８１ｂ、８１ｃとを介して常時少量の洗浄水がリム通水路４の貫通穴４ａとボウル部２の貫通穴２ａとから吐出するが、サイホンジェット式便器１の機能に支障は来さない。
シリンダ状ピストン８３が初期位置へ復帰する際に、タンク８８内の水Ｗ１が、パイプ８８ａと速度制御弁８９内のバイパス流路とを通ってシリンダ８１の閉鎖端とシリンダ状ピストン８３の閉鎖端との間の空間に流入する。従って、シリンダ状ピストン８３は支障なく初期位置へ復帰する。
【００１８】
上記説明から分かるように、本実施例に係るサイホンジェット式便器の洗浄水供給装置を使用すれば、フラッシュバルブ７から供給された所定量の洗浄水を用いて、ボウル部２の側面を洗浄し、次いで、サイホン作用を利用して、ボウル部２の側面から除去した汚物を含めて封水Ｗ２を汚物と共に排出し、次いで封水Ｗ２を形成することができるので、節水を図りつつ汚物残りの少ない効果的な便器洗浄をすることができる。
本実施例に係るサイホンジェット式便器の洗浄水供給装置は、高価な電磁弁に代えて比較的安価な水圧シリンダバルブ８を備えるので、特開平３−１７６５２３号の装置に比べて製造コストが低い。
本実施例に係るサイホンジェット式便器の洗浄水供給装置においては、フラッシュバルブ７を介して水圧シリンダバルブ８に洗浄水を供給するので、常に一定量の洗浄水をサイホンジェット式便器１ヘ供給することができ、常に一定の洗浄力を維持することができる。
【００１９】
本発明の第２実施例を説明する。
本実施例に係る洗浄水供給装置においては、第１実施例に係る洗浄水供給装置の水圧シリンダバルブ８に代えて水圧シリンダバルブ１８が配設されている。水圧シリンダバルブ８に代えて水圧シリンダバルブ１８が配設されていている点を除いて本実施例に係る洗浄水供給装置の構成は第１実施例に係る洗浄水供給装置の構成と同一である。
【００２０】
図５に示すように、水圧シリンダバルブ１８は、シリンダ１８１を有している。シリンダ１８１の一端に入口ポート１８１ａが形成され、長手方向中央部の側壁に１対の円形出口ポート１８１ｂ、１８１ｃが向かい合って形成されている。シリンダ１８１の他端はボルト１８２によって閉鎖されている。
シリンダ１８１内にシリンダ状ピストン１８３が収容されている。シリンダ状ピストン１８３の一端は開放され他端は閉鎖されている。シリンダ状ピストン１８３は、開放端を入口ポート１８１ａへ差し向けた状態でシリンダ１８１内に収容されている。シリンダ状ピストン１８３の側壁に２つの長円形開口１８３ａ、１８３ｂと、１つの略長円形開口１８３ｃとが形成されている。長円形開口１８３ａと略長円形開口１８３ｃとは、出口ポート１８１ｂに対峙する側の側壁に形成され、長円形開口１８３ｂは出口ポート１８１ｃに対峙する側の側壁に形成されている。シリンダ状ピストン１８３を側方から見て、長円形開口１８３ａと長円形開口１８３ｂとは部分的に重畳しており、長円形開口１８３ｂと略長円形開口１８３ｃとは部分的に重畳している。シリンダ状ピストン１８３の側壁外周面とシリンダ１８１の側壁内周面との間には微小隙間１８５が形成されている。従って、シリンダ状ピストン１８３は遊動可能にシリンダ１８１内に収容されている。
シリンダ１８１の側壁中央部を貫通するボルト１８６の先端部が、シリンダ状ピストン１８３の側壁に形成されたスリット１８３ｄに挿通されており、シリンダ状ピストン１８３の回転が阻止されている。
【００２１】
シリンダ１８１の閉鎖端近傍の側壁に形成された小開口１８１ｄに挿通されたパイプ１８８ａがシリンダ１８１の側方外方へ延び、リム通水路４に接続している。パイプ１８８ａの途上に速度制御弁１８９が配設されている。
水圧シリンダバルブ１８は、入口ポート１８１ａを下方へ差し向けて直立して配設されている。
水圧シリンダバルブ１８の入口ポート１８１ａは給水管６に接続し、出口ポート１８１ｂは配管９ａに接続し、出口ポート１８１ｃは配管９ｂに接続している。
【００２２】
本実施例に係る洗浄水供給装置においては、フラッシュバルブ７が閉じている時には、シリンダ状ピストン１８３は自重により下降して、開放端がシリンダ１８１の入口ポート１８１ａが形成された端部に当接する初期位置に在る。
フラッシュバルブ７が開くと、洗浄水が水圧シリンダバルブ１８へ流入し、シリンダ状ピストン１８３を押し上げる。シリンダ状ピストン１８３は、初期位置から、閉鎖端がボルト１８２に当接する最終位置まで、上方へ移動する。シリンダ状ピストン１８３の開口１８３ｃ、１８３ｂ、１８３ａが出口ポート１８１ｂ、１８１ｃ、１８１ｂに順次対峙して出口ポート１８１ｂ、１８１ｃ、１８１ｂが順次開き、配管９ａ、９ｂ、９ａに順次洗浄水が流入し、リム通水路４の開口４ａ、ボウル部２の貫通穴２ａ、リム通水路４の開口４ａから順次洗浄水が吐出して、サイホンジェット式便器１を洗浄し、封水Ｗ２を形成する。
【００２３】
シリンダ状ピストン１８３の側壁外周面とシリンダ１８１の側壁内周面との間に形成された微小隙間１８５を介して、シリンダ１８１の閉鎖端とシリンダ状ピストン１８３の閉鎖端との間の空間に洗浄水が流入する。前記空間内の空気と洗浄水とが、パイプ１８８ａを通ってリム通水路４ａに排出される。速度制御弁１８９により、パイプ１８８ａを通る流体の流量が制御されて、シリンダ状ピストン１８３の移動速度が制御される。シリンダ状ピストン１８３の移動速度は、フラッシュバルブ７が開くと同時に初期位置から移動を開始したシリンダ状ピストン１８３が、フラッシュバルブ７が閉じると同時に最終位置に到達する値に設定されている。従って、シリンダ状ピストン１８３が最終位置に到達した時点で、フラッシュバルブ７が自動的に閉じる。この結果、サイホンジェット式便器１の洗浄が終了する。
【００２４】
フラッシュバルブ７が閉じると、水圧シリンダバルブ１８への洗浄水の供給が停止し、洗浄水がシリンダ状ピストン１８３に及ぼす付勢力が減少する。シリンダ状ピストン１８３は、自重により入口ポート１８１ａへ向けて下降し、初期位置へ復帰する。シリンダ状ピストン１８３を側方から見て、開口１８３ａと開口１８３ｂとは部分的に重畳しており、開口１８３ｂと開口１８３ｃとは部分的に重畳しているので、常時開口１８３ａ、１８３ｂ、１８３ｃの何れかが出口ポート１８１ｂ又は１８１ｃに対峙している。従って、シリンダ状ピストン１８３が初期位置へ復帰する際に、シリンダ１８１内の洗浄水は常時出口ポート１８１ｂ又は１８１ｃ介してシリンダ１８１から排出され、シリンダ状ピストン１８３は支障なく初期位置へ復帰する。
シリンダ状ピストン１８３の側壁外周面とシリンダ１８１の側壁内周面との間には微小隙間１８５が形成されているので、シリンダ状ピストン１８３が初期位置へ復帰する際に、シリンダ１８１内の洗浄水は、微小隙間１８５と出口ポート１８１ｂ、１８１ｃとを介して常時シリンダ１８１から排出される。従って、シリンダ状ピストン１８３は支障なく初期位置へ復帰する。シリンダ状ピストン１８３が初期位置から最終位置へ向けて移動する際にも、微小隙間１８５と出口ポート１８１ｂ、１８１ｃとを介して常時少量の洗浄水がリム通水路４の貫通穴４ａとボウル部２の貫通穴２ａとから吐出するが、サイホンジェット式便器１の機能に支障は来さない。
シリンダ状ピストン１８３の側壁外周面とシリンダ１８１の側壁内周面との間には微小隙間１８５が形成されており、シリンダ状ピストン１８３はシリンダ１８１に遊動可能に収容されているので、シリンダ状ピストン１８３は自重のみにより支障なく初期位置へ復帰する。
シリンダ状ピストン１８３が初期位置へ復帰する際に、リム通水路４と、パイプ１８８ａと、速度制御弁１８９内のバイパス流路とを通って、空気がシリンダ１８１の閉鎖端とシリンダ状ピストン１８３の閉鎖端との間の空間に流入する。従って、シリンダ状ピストン１８３は支障なく初期位置へ復帰する。
【００２５】
上記説明から分かるように、本実施例に係るサイホンジェット式便器の洗浄水供給装置を使用すれば、フラッシュバルブ７から供給された所定量の洗浄水を用いて、ボウル部２の側面を洗浄し、次いで、サイホン作用を利用して、ボウル部２の側面から除去した汚物を含めて封水Ｗ２を汚物と共に排出し、次いで封水Ｗ２を形成することができるので、節水を図りつつ汚物残りの少ない効果的な便器洗浄をすることができる。
本実施例に係るサイホンジェット式便器の洗浄水供給装置は、高価な電磁弁に代えて比較的安価な水圧シリンダバルブ１８を備えるので、特開平３−１７６５２３号の装置に比べて製造コストが低い。
本実施例に係るサイホンジェット式便器の洗浄水供給装置においては、フラッシュバルブ７を介して水圧シリンダバルブ１８に洗浄水を供給するので、常に一定量の洗浄水をサイホンジェット式便器１ヘ供給することができ、常に一定の洗浄力を維持することができる。
【００２６】
以上本発明の実施例を説明したが、本発明は上記実施例に限定されない。
第１実施例において、シリンダ状ピストン８３の側壁外面とシリンダ８１の側壁内面との間の隙間８５又はシリンダ状ピストン８３を側方から見た時の長円形開口８３ａ、８３ｂ、略長円形開口８３ｃの間の部分的な重畳の何れか一方を取り止めても良い。
第２実施例において、シリンダ状ピストン１８３を側方から見た時の長円形開口１８３ａ、１８３ｂ、略長円形開口１８３ｃの間の部分的な重畳を取り止めても良い。
フラッシュバルブ７に代えて、モータにより回転駆動されるカム機構等によって駆動される止水弁を使用しても良い。この場合には、シリンダ状ピストン８３、１８３の移動速度によって定まるシリンダ状ピストン８３、１８３の初期位置から最終位置までの移動時間に合わせて、止水弁を開閉することになる。速度制御弁８９、１８９を操作して、シリンダ状ピストン８３、１８３の移動速度を制御し、シリンダ状ピストン８３、１８３の初期位置から最終位置までの移動時間を制御し、止水弁の開放時間を制御して、サイホンジェット式便器１へ供給される洗浄水の量を制御することができる。サイホンジェット式便器１へ供給される洗浄水の量を制御することにより、洗浄力を制御することができる。
上記第１実施例の水圧シリンダバルブ８では、シリンダ状ピストン８３の側壁に、３つの開口８３ａ、８３ｂ、８３ｃを形成したが、図６に示す水圧シリンダバルブ２８のように、シリンダ２８１の側壁に３つの出口ポート２８１ｂ、２８１ｃ、２８１ｄを形成し、シリンダ状ピストン２８３の側壁に単一の開口２８３ａを形成し、シリンダ状ピストン２８３の移動に伴って開口２８３ａを出口ポート２８１ｂ、２８１ｃ、２８１ｄに順次対峙させ、出口ポート２８１ｂ、２８１ｄを配管９ａに接続し、出口ポート２８１ｃを配管９ｂに接続しても良い。第２実施例の水圧シリンダバルブ１８についても同様である。
図１に示すサイホンジェット式便器１の機器収納部５は、ボウル部２、リム通水路４と一体成形しても良い。
フラッシュバルブ７は、モータ等の駆動装置を用いずに使用者が手動操作しても良い。
【００２７】
【発明の効果】
上記説明から分かるように、本発明に係るサイホンジェット式便器の洗浄水供給装置は、高価な電磁弁に代えて比較的安価な水圧シリンダバルブを備えるので、特開平３−１７６５２３号の装置に比べて製造コストが低い。
【図面の簡単な説明】
【図１】本発明の第１実施例に係る洗浄水供給装置を備えるサイホンジェット式便器の側断面図である。
【図２】本発明の第１実施例に係るサイホンジェット式便器の洗浄水供給装置が備える水圧シリンダバルブの構造図である。（ａ）は主要部を平断面で示した上面図であり、（ｂ）は（ａ）のｂ−ｂ矢視図である。
【図３】本発明の第１実施例に係るサイホンジェット式便器の洗浄水供給装置が備える水圧シリンダバルブの構造図である。（ａ）は主要部を平断面で示した上面図であり、（ｂ）は（ａ）のｂ−ｂ矢視図である。
【図４】本発明の第１実施例に係るサイホンジェット式便器の洗浄水供給装置が備える水圧シリンダバルブの構造図である。（ａ）は主要部を平断面で示した上面図であり、（ｂ）は（ａ）のｂ−ｂ矢視図である。
【図５】本発明の第２実施例に係るサイホンジェット式便器の洗浄水供給装置が備える水圧シリンダバルブの構造図である。（ａ）は側断面図であり、（ｂ）は（ａ）のｂ−ｂ矢視図である。
【図６】本発明の他の実施例に係るサイホンジェット式便器の洗浄水供給装置が備える水圧シリンダバルブの概略構造を示す側断面図である。
【符号の説明】
１  サイホンジェット式便器
４ａ  リム通水路の貫通穴
２ａ  ボウル部の貫通穴
７  フラッシュバルブ
８、１８、２８  水圧シリンダバルブ
【図１】
0003793983.tif 000002
【図２】
0003793983.tif 000003
【図３】
0003793983.tif 000004
【図４】
0003793983.tif 000005
【図５】
0003793983.tif 000006
【図６】
0003793983.tif 000007